(57)【要約】【課題】ヘッドカバーごとに準備することが不要な保持具を提供することを目的とする。また、ヘッドカバーに取り付けることでファッション性を高めるヘッドカバー保持具を提供することを目的とする。さらに、グリーンフォークの新たな収納場所を提供することを目的とする。【解決手段】ヘッドカバーに取付可能な装飾具と、板状磁性体とを備えるヘッドカバー保持具であって、前記装飾具または前記板状磁性体が、マグネットを備え、前記板状磁性体が、衣服のポケットに入れることができる大きさであり、前記板状磁性体と前記装飾具で衣服を挟持することによって、ヘッドカバーを衣服上に保持することが可能なヘッドカバー保持具である。【選択図】図２
2016209183.tif 000002
【特許請求の範囲】
【請求項１】
ヘッドカバーに取付可能な装飾具と、板状磁性体とを備えるヘッドカバー保持具であって、
前記装飾具または前記板状磁性体が、マグネットを備え、
前記板状磁性体が、衣服のポケットに入れることができる大きさであり、
前記板状磁性体と前記装飾具で衣服を挟持することによって、ヘッドカバーを衣服上に保持することが可能なヘッドカバー保持具。
【請求項２】
前記装飾具がマグネットを備える請求項１に記載のヘッドカバー保持具。
【請求項３】
さらに、マグネットを含んでなる板状ヘッド部を有するグリーンフォークを備え、
前記板状ヘッド部と前記板状磁性体で衣服を挟持して磁力で固定することによって、ヘッドカバーを衣服上に保持することが可能な請求項１または２に記載のヘッドカバー保持具。
【請求項４】
さらに、磁性体を含んでなる板状ヘッド部を有するグリーンフォークを備え、
前記装飾具および前記板状磁性体が、マグネットを備え、
前記板状ヘッド部と前記板状磁性体で衣服を挟持して磁力で固定することによって、ヘッドカバーを衣服上に保持することが可能な請求項１または２に記載のヘッドカバー保持具。
【請求項５】
前記装飾具は、凸部または凹部を備え、
前記グリーンフォークは、凹部または凸部を備え、
前記装飾具の凸部または凹部と、前記グリーンフォークの凹部または凸部とを、噛合させることが可能な請求項３または４に記載のヘッドカバー保持具。
【請求項６】
前記装飾具は、凸部を備え、
前記グリーンフォークは、貫通孔を備える請求項５に記載のヘッドカバー保持具。
【請求項７】
前記装飾具の凸部または凹部、並びに前記グリーンフォークの凹部、凸部、または貫通孔が、それぞれ３個以上であり、かつ、その中心を頂点とする多角形が非回転対称となるように配置されたものである請求項５または６に記載のヘッドカバー保持具。
【請求項８】
前記板状磁性体が、コイン形である請求項１ないし７のいずれかに記載のヘッドカバー保持具。
【請求項９】
前記板状磁性体が、ボールマーカーとして利用できる請求項１ないし８のいずれかに記載のヘッドカバー保持具。
【請求項１０】
前記装飾具を複数個備え、各装飾具にはクラブの種類を示す表示が設けられている請求項１ないし９のいずれかに記載のヘッドカバー保持具。
【発明の詳細な説明】
【技術分野】
【０００１】
本発明は、ヘッドカバーを衣服上に保持することができるファッション性に優れたヘッドカバー保持具に関する。なお、本明細書では「ヘッドカバー」の用語をパターカバーを含む意味で用いるものとする。
【背景技術】
【０００２】
近年、ゴルファーのポケットには多数のゴルフ用具が収納されている。
大多数のゴルファーはゴルフグローブを手にはめてプレーを行う。他方、ゴルフボールがグリーンオンした際には、ゴルフグローブを外してパットを行うプレイヤーが少なくない。外されたゴルフグローブはポケットに収納されるのが通常である。
グリーン上でのプレー時には、ボールマーカー（グリーンマーカー）やグリーンフォークが使用される。ボールマーカーやグリーンフォークもまたポケットに収納されるのが通常である。
その他にも、ボールティーや予備のボールもポケットに収納される。
【０００３】
多数のゴルフ用具がポケットに収納されることで、次のような問題が発生している。すなわち、必要な用具を速やかに取り出すことができなかったり、ゴルフ用具でポケットが膨らみ、プレーの妨げになったりするという問題である。
このため、ゴルフ用具の新たな収納場所を提供することの必要性が生じている。
【０００４】
新たな収納場所の必要性は、ヘッドカバーにおいても生じている。使用時に取り外したヘッドカバー（パターカバー含む）は、地面に置いてプレーすることが多く、プレー後に忘れる恐れがあった。このため、地面以外に新たなヘッドカバーの置き場所（収納場所）を提供することの必要性が生じている。
【０００５】
そこで、ゴルフクラブのヘッドカバーを衣服上に保持することが可能な、マグネット式ヘッドカバー保持具が提案されている（特許文献１）。この保持具は、ヘッドカバーを取り付け可能な安全ピンを備えるマグネットと、保持札と、保持札とマグネットを繋ぐ接続バンドとを備え、ポケットに入れた保持札とポケットの外に出されたマグネットとの間の磁力で、ポケットを挟み、ヘッドカバーを衣服上に保持するものである。
【先行技術文献】
【特許文献】
【０００６】
【特許文献１】実用新案登録第３１３２７２６号公報
【発明の概要】
【発明が解決しようとする課題】
【０００７】
特許文献１で提案された保持具によれば、ヘッドカバーをポケットの外部に保持することができるため、ヘッドカバーの置き場所の問題は一定のレベルで解決されている。しかしながら、全てのヘッドカバーに安全ピンで保持具を取り付ける必要があり、ヘッドカバーに保持具を取り付けっぱなしにするためには、ヘッドカバーと同数の保持具を準備する必要があった。また、紳士・淑女のスポーツであるゴルフでは、ゴルフグッズのファッション性も重要であるが、保持具をヘッドカバーに取り付けた状態は、美観を損ねるという問題もある。さらには、特許文献１の保持具では、グリーフォークの新たな収納場所を提供するという課題を解決することはできない。
【０００８】
そこで、本発明は、ヘッドカバーごとに準備することが不要な保持具を提供することを目的とする。また、ヘッドカバーに取り付けることでファッション性を高めるヘッドカバー保持具を提供することを目的とする。さらに、グリーンフォークの新たな収納場所を提供することを目的とする。
【課題を解決するための手段】
【０００９】
前記目的を達成するために、第１の発明は、ヘッドカバーに取付可能な装飾具と、板状磁性体とを備えるヘッドカバー保持具であって、前記装飾具または前記板状磁性体が、マグネットを備え、前記板状磁性体が、衣服のポケットに入れることができる大きさであり、前記板状磁性体と前記装飾具で衣服を挟持することによって、ヘッドカバーを衣服上に保持することが可能なヘッドカバー保持具である。
このような構成によれば、装飾具によってヘッドカバーのファッション性を高めながら、ヘッドカバーをポケットの外部に保持することができる。
【００１０】
第２の発明は、前記装飾具がマグネットを備える第１の発明のヘッドカバー保持具である。
このような構成によれば、板状磁性体の形状の自由度が高まり、よりコンパクトなヘッドカバー保持具を提供することができる。
【００１１】
第３の発明は、さらに、マグネットを含んでなる板状ヘッド部を有するグリーンフォークを備え、前記板状ヘッド部と前記板状磁性体で衣服を挟持して磁力で固定することによって、ヘッドカバーを衣服上に保持することが可能な第１または２の発明のヘッドカバー保持具である。
このような構成によれば、グリーンフォークを衣服上に保持することができるので、グリーンフォークの新たな収納場所を提供することができる。
【００１２】
第４の発明は、さらに、板状ヘッド部を有するグリーンフォークを備え、前記装飾具および前記板状磁性体が、マグネットを備え、前記板状ヘッド部と前記板状磁性体で衣服を挟持して磁力で固定することによって、ヘッドカバーを衣服上に保持することが可能な第１または２の発明のヘッドカバー保持具である。
このような構成によれば、グリーンフォークを衣服上に保持することができ、さらに、グリーンフォークにマグネットを設ける必要がないので、コストを下げることができる。
【００１３】
第５の発明は、前記装飾具は、凸部または凹部を備え、前記グリーンフォークは、凹部または凸部を備え、前記装飾具の凸部または凹部と、前記グリーンフォークの凹部または凸部とを、噛合させることが可能な第３または４の発明のヘッドカバー保持具である。
このような構成によれば、装飾具に装着した時のグリーンフォークのずれを防止することができる。
【００１４】
第６の発明は、前記装飾具は、凸部を備え、前記グリーンフォークは、貫通孔を備える第５の発明のヘッドカバー保持具である。
このような構成によれば、装飾具およびグリーンフォークの嵌合部に砂埃が溜まるのを防ぐことができる。
【００１５】
第７の発明は、前記装飾具の凸部または凹部、並びに前記グリーンフォークの凹部、凸部、または貫通孔が、それぞれ３個以上であり、かつ、その中心を頂点とする多角形非回転対称となるように配置されたものである第５または６の発明のヘッドカバー保持具である。
このような構成によれば、グリーンフォークの向きを固定することができる。
【００１６】
第８の発明は、前記板状磁性体が、コイン形である第１ないし７のいずれかの発明のヘッドカバー保持具である。
このような構成によれば、板状磁性体を装飾具に方向無用で装着することができる。また、板状磁性体に角がないのでポケットに入れても扱いやすく、ポケットの内部、他のゴルフ用具および手を傷つけないものとすることができる。
【００１７】
第９の発明は、前記板状磁性体が、ボールマーカーとして利用できる第１ないし８のいずれかの発明のヘッドカバー保持具である。
このような構成によれば、別途ボールマーカーを用意する必要がなくなるため、ポケットの内容物を減らすことが可能となる。
【００１８】
第１０の発明は、前記装飾具を複数個備え、各装飾具にはクラブの種類を示す表示が設けられている第１ないし９のいずれかの発明のヘッドカバー保持具である。
このような構成によれば、共通の板状磁性体を用いることができるので、ヘッドカバーごとに板状磁性体を準備する必要がない。また、ゴルフクラブの種類に対応した記号の表示が装飾具に設けられているので、装飾具を見れば、各ヘッドカバーが装着されているゴルフクラブの種類を判別することが可能となる。
【発明の効果】
【００１９】
本発明のヘッドカバー保持具によれば、ヘッドカバー装着時は装飾具によりファッション性を高め、ヘッドカバー取り外し時はプレーの邪魔にならないように衣服上に保持することが可能となる。
また、グリーンフォークを装飾具と磁力で吸着させる構成においては、ポケットの内容物をさらに減らすことが可能となる。
【図面の簡単な説明】
【００２０】
【図１】実施例１に係るヘッドカバー保持具の使用状態を表す図である。
【図２】実施例１に係るヘッドカバー保持具適用時の（ａ）平面図、（ｂ）使用状態の断面図である。
【図３】実施例１に係る装飾具の（ａ）上面図、（ｂ）側面図、（ｃ）下面図、（ｄ）Ａ−Ａ線の断面図である。
【図４】実施例１に係る装飾具のヘッドカバー取付時の（ａ）側面図、（ｂ）表地の裏から見た図である。
【図５】実施例１に係る板状磁性体の（ａ）上面図、（ｂ）側面図である。
【図６】実施例２に係るヘッドカバー保持具適用時の（ａ）平面図、（ｂ）側面図、（ｃ）使用状態の断面図である。
【図７】実施例２に係る装飾具の（ａ）上面図、（ｂ）側面図、（ｃ）下面図、（ｄ）Ｂ−Ｂ線の断面図である。
【図８】実施例２に係る板状磁性体が装飾具に装着された状態を表す側面図である。
【図９】実施例２に係るグリーンフォークの（ａ）上面図、（ｂ）側面図である。
【図１０】実施例２に係るヘッドカバー保持具の使用状態の断面図である。
【発明を実施するための形態】
【００２１】
本発明に係るヘッドカバー保持具が、ピンタイプのパターのヘッドカバーに適用される例を説明する。本発明に係るヘッドカバー保持具は、上記以外にも、例えば、マレットタイプのパター、ウッドまたはユーティリティー等のゴルフクラブのヘッドカバーにも適用することができる。
なお、本発明にいう「磁性体」とは、磁性を帯びる材料を指し、磁性を帯びる材料を構成の一部に有する態様も含まれる。
【００２２】
＜実施例１＞
［ヘッドカバー保持具］
本実施例に係るヘッドカバー保持具１０は、装飾具２および板状磁性体３を備えて構成される。
図１に本実施例に係るヘッドカバー保持具１０の使用状態を示す。ヘッドカバー保持具１０は、ヘッドカバー１００を衣服のポケット２００の外側に保持するものである。
図２は、（ａ）ヘッドカバー保持具１０の使用状態の平面図、（ｂ）衣服上に保持された状態の断面図をそれぞれ示す。
図２（ｂ）に示すように、装飾具２から発する磁力によって、装飾具２とポケット２００の内部に入れられた板状磁性体３とが引き合い、ポケット生地２１０を挟持することにより、ヘッドカバー１００を衣服上に保持する。
【００２３】
以下、ヘッドカバー保持具１０の各構成を説明する。
【００２４】
［装飾具］
装飾具２は、ヘッドカバー１００に取り付けられ、ポケット生地２１０を板状磁性体３と挟持して磁力で固定する。図３に示すように、装飾具２は、本体２１、マグネット収納部２３、３本のツメ２４、マグネット２５、および蓋２６を主な構成要素とする。
装飾具２は、例えば、鉄、アルミ、ステンレス、銅等の曲げ性や切削性の良い金属材料をプレス加工や切削加工等で成形したり、プラスチック材料にこれらの金属材料をインサート成型したりすることで製造される。
【００２５】
本体２１は、裏面２１Ｂ側にマグネット収納部２３と、本体２１の側面から延びた４つのかしめ部２７を備える。本体２１の形状は、例えば、直径２０〜３０ｍｍ、厚み２〜５ｍｍの円柱状をしており、パターカバーのサイズに対してアクセントとなる適度な大きさとなっている。本体２１の形状は、図３に図示のものに限定されず、例えば、上面から見て、楕円、星形、雲形、三角形、四角形、多角形等でもよい。
表面２１Ａには、彫刻、印刷、表面処理、レーザー加工等で装飾が施され、ヘッドカバー保持具１０のファッション性が高められている。また、表面２１Ａには、例えば、「１Ｗ」や「３Ｗ」のようにウッドとその番号を表す記号や、「７Ｕ」や「９Ｕ」のようにユーティリティーとその番号を表す記号のようにゴルフクラブの種類を表す記号や、所有者の氏名等が表示されていても良い。ヘッドカバー１００が複数個ある場合には、ゴルフクラブの種類を表す記号の表示を設けた複数個の装飾具２を準備し、各ヘッドカバー１００のゴルフクラブに対応する装飾具２を取り付けることで、装飾具２を見ればクラブの種類を判別することが可能となる。
【００２６】
マグネット収納部２３は、例えば、本体２１に設けられた凹状空間であり、マグネット２５を収納した状態で蓋２６により閉じられる。
【００２７】
蓋２６は、マグネット収納部２３を本体２１の裏面２１Ｂ側から覆い、マグネット収納部２３に異物が入り込まないよう保護する。蓋２６は本体２１のかしめ部２７がかしめられることにより本体２１に固定される。
蓋２６はリベット２８を備えており、ツメ２４の支持部２９に設けられた穴２９ａにリベット２８を通し、リベット２８が変形させられることで、ツメ２４の支持部２９が固定されている。
【００２８】
ツメ２４がかしめられることによって、装飾具２はヘッドカバー生地に固定される。図４に装飾具２がパターカバーに取り付けられた状態を示す。図４（ａ）は側面図、図４（ｂ）は表地１１０の裏側から見た図を示す。
ヘッドカバー生地は、表地１１０、クッション材１２０、裏地１３０で構成される３層構造をなしている。表地１１０、クッション材１２０の間には、ツメ２４によって表地１１０が傷つけられることを防ぐために金具１４０が配設される。ツメ２４は、表地１１０に空けられた穴１１１および金具１４０に設けられた穴１４１に通され、外側に折り曲げられ、表地１１０に装飾具２が取り付けられる。ツメ２４はヘッドカバー１００の外部には出ない。なお、装飾具２の取付形態はツメ２４に限定されず、ヘッドカバー生地の裏地１３０側に配置され、本体２１と物理的に結合される板状部材により後付けで取り付けてもよい。
【００２９】
マグネット２５は、発生する磁力によって、装飾具２と板状磁性体３を引き合わせる。マグネット２５は、マグネット収納部２３内に接着等により設けられる。マグネット２５の種類は、例えば、フェライト磁石であり、その磁力は１０００〜２０００ガウスである。マグネット２５の磁力は、弱すぎるとヘッドカバー１００を衣服上に保持することができなくなり、強すぎると衣服上からヘッドカバー１００を外すことが困難となるため、５００〜３０００ガウスの範囲内であることが好ましい。
マグネット２５の代わりに、本体２１の一部または全部を磁化させてもよく、その場合マグネット収納部２３は不要となる。
【００３０】
［板状磁性体］
図５に板状磁性体３の（ａ）平面図、（ｂ）側面図を示す。板状磁性体３は、ポケットに入れられた状態で、ポケット生地２１０を装飾具２と挟持して磁力で固定する。板状磁性体３の材質は、例えば、鉄、ニッケル等の金属材料で構成され、磁性を有する。板状磁性体３の材料は、上記の他、磁性を有する材料であればいなかる材料でもよく、また、磁性を有する材料を構成の一部に含んでいてもよい。
板状磁性体３の形状は、ポケット２００への出し入れがしやすく、ポケット２００内部、他のゴルフ用具および手を傷つけないよう、角がないか角に丸みを帯びた形状であることが好ましく、例えば、コイン形をなしている。その他、楕円、星形、雲形、角丸三角形、角丸四角形、角丸多角形等の形状が列挙される。板状磁性体３は、コイン形の場合、ボールマーカーとして利用できるものとしてもよい。これにより、別途ボールマーカーを用意する必要がなくなる。
板状磁性体３は、クリップ形やピンバッジ形としてもよい。この場合、板状磁性体３をベルトや帽子に取り付ければ、これらの上にヘッドカバー１００を保持することが可能となる。
板状磁性体３は、グリーンフォークの形状としてもよい。これにより、別途グリーンフォークを用意する必要がなくなる。
【００３１】
板状磁性体３は装飾具２の表面２１Ａ上に装着することもできる。この場合、板状磁性体３にデザインを施しておけば、ヘッドカバー保持具１０に異なる美観を具備させることができる。また、板状磁性体３がコイン形であれば、装飾具２に方向無用で装着することができる。板状磁性体３の平面方向の大きさは、板状磁性体３の取り外しを容易にするため、装飾具２の本体２１の表面２１Ａよりも例えば１〜５ｍｍ大きくすることが好ましい。
【００３２】
さらに、ヘッドカバー１００が複数ある場合でも、板状磁性体３はヘッドカバー１００の個数分準備する必要はなく、１つあれば足りる。例えば、ヘッドカバー１００が取り付けられたクラブの本数が１４本の場合、装飾具２は１４個に対して、板状磁性体３は１個となる。
【００３３】
［使用方法］
図２のヘッドカバー１００を例に、図２を参照しながらヘッドカバー保持具１０の使用方法を説明する。
【００３４】
（ヘッドカバー装着時）
プレー時は、板状磁性体３をポケット２００の中に入れておく。
プレーしない時は、板状磁性体３を装飾具２の表面２１Ａ上に装着することもできる。これにより、板状磁性体３をヘッドカバー１００と一緒に保管することができるため、板状磁性体３の紛失を防止することができる。
【００３５】
（ヘッドカバー取り外し時）
装飾具２側をポケット２００に向けてヘッドカバー１００を近づけると、ヘッドカバー１００は、装飾具２の備えるマグネット２５の磁力によって板状磁性体３に引き寄せられ、図２（ｂ）のように、装飾具２と板状磁性体３がポケット生地２１０を挟持する形で衣服上に保持される。このように、ヘッドカバー１００は、磁力により板状磁性体３に引き寄せられるため、各ヘッドカバー１００に装飾具２を取り付ければ、板状磁性体３は１つで足りる。
【００３６】
以上のように、本実施例のヘッドカバー保持具１０によれば、ゴルフクラブにヘッドカバー装着時は装飾具によりファッション性を高め、ヘッドカバー取り外し時はプレーの邪魔にならないように衣服上に保持することが可能となる。
実施例１の変形例として、板状磁性体３の一部もしくは全部をマグネットで構成すること、または、板状磁性体３の一部または全部を磁化することもできる。この場合、装飾具２のマグネット収納部２３およびマグネット２５は不要となる。
この変形例においても、実施例１と同様の作用効果が奏される。
【００３７】
＜実施例２＞
実施例２では、グリーンフォークの新たな収納場所を提供するヘッドカバー保持具について説明する。本実施例は、実施例１の構成に、さらにグリーンフォークを追加し、ヘッドカバーおよびグリーンフォークを衣服上に保持することのできるヘッドカバー保持具を提供することを目的とする。以下では実施例１と同じ構成についての説明は割愛し、異なる構成を中心に説明する。
［ヘッドカバー保持具］
本実施例に係るヘッドカバー保持具１１は、装飾具５、板状磁性体３、グリーンフォーク４を備えて構成される。本実施例の実施例１との違いは、グリーンフォーク４が追加されている点、および、グリーンフォーク４がマグネット２５を備えている点である。
発明者の実験によって、実施例１の構成にマグネット２５を備えないグリーンフォーク４を追加してグリーンフォーク４を装飾具２に装着した場合、グリーンフォーク４が磁性を有していても、装飾具２のマグネット２５の磁力はグリーンフォーク４によって弱められ、ポケット２００に入れた板状磁性体３とポケット生地２１０を挟持するに十分な磁力が得られないことが分かった。そこで、グリーンフォーク４にもマグネット２５を設けることで、グリーンフォーク４と板状磁性体３の間の磁力を高め、ポケット生地２１０を挟持するに十分な磁力が得られるようにした。
図６は、（ａ）ヘッドカバー保持具１１の使用状態の平面図、（ｂ）側面図、（ｃ）衣服上に保持された状態の断面図をそれぞれ示す。
ヘッドカバー１００をゴルフクラブに装着している場合、図６（ａ）、（ｂ）のように、ヘッドカバー保持具１１は、装飾具５上にグリーンフォーク４が装着され、グリーンフォーク４上に板状磁性体３が装着された構成をなす。グリーンフォーク４にはマグネット２５（図示せず）が設けられているため、磁力によって装飾具５および板状磁性体３を吸着する。
ヘッドカバー１００がゴルフクラブから外され、ヘッドカバー保持具１１が保持具として使用される場合、図６（ｃ）に示すように、板状磁性体３がポケット２００の内部に入れられ、装飾具５に固定されたグリーンフォーク４と板状磁性体３とが磁力によって引き合い、ポケット生地２１０を挟持することにより、グリーンフォーク４およびヘッドカバー１００を衣服上に保持する。
【００３８】
［装飾具］
装飾具５は、ヘッドカバー１００に取付けられ、グリーンフォーク４を磁力で固定する。図７に示すように、装飾具５は、本体５１、３つの凸部５２、マグネット収納部２３、３本のツメ２４、マグネット２５、および蓋２６を備える。装飾具５は、本体５１に３つの凸部５２を備える点で実施例１の装飾具２とは異なる。
【００３９】
凸部５２は、本体５１の表面５１Ａ上の外周部付近に３つ設けられ、装飾具５とグリーンフォーク４とを嵌合するために用いられる。嵌合によって、装飾具５に装着した時のグリーンフォーク４のずれを防止することができる。凸部５２は、例えば、直径１〜３ｍｍ、高さ０．３〜２ｍｍの円柱状の形状をなしている。
凸部５２の数は例示の数に限定されず、複数個あれば足り、２個または４個以上であってもよい。凸部５２を３つ以上とし、凸部５２の中心を頂点とする多角形が非回転対称となるようにすることで、装飾具５に装着した時のグリーンフォーク４の向きを固定する効果を奏することができる。この条件を満たす配置には、例えば、二等辺三角形、台形、凹多角形等の頂点が挙げられる。このうち、二等辺三角形が凸部５２の数が最も少ないため、飾具５およびグリーンフォーク４のデザインに与える影響を小さくしつつ、グリーンフォーク４の向きを固定することができるので、好ましい。
凸部５２の形状は、円形に限らず、正多角形ではない多角形の角を丸くした形状、かつ、線対称な形状としてもよい。この場合、凸部５２が１つでもグリーンフォーク４の向きを固定する効果を得ることができ、表側と裏側の両面から装着することもできる。また、凸部５２の個数を減らせるので装飾具５およびグリーンフォーク４のデザインに与える影響を小さくすることもできる。さらに、角部が鋭角を持たないので、砂埃が溜まるのを防ぐことができる。
凸部５２は、その代わりに凹部としても、装飾具５とグリーンフォーク４とを嵌合することもできる。しかしながら、砂埃が付着した場合、凹部に溜まる懸念があるため、凸形状とすることが好ましい。
【００４０】
［板状磁性体］
使用方法の説明で述べるように、板状磁性体３は装飾具５の凸部５２上に装着することもできる。この時、板状磁性体３は、図８に示すように、３箇所の凸部５２で支持される。装飾具５の表面５２Ａと板状磁性体３の間には隙間Ｄが空き、適度な磁力が保たれるため、板状磁性体３は装飾具２との脱着が容易となっている。
［グリーンフォーク］
グリーンフォーク４は、装飾具５に装着された状態で、ポケット生地２１０を板状磁性体３と挟持して磁力で固定することによって、ヘッドカバー１００を衣服上に保持する作用を有する。グリーンフォーク４は、グリーンに刺すのに適度な強度を備える材料で構成され、例えば、鉄、ニッケル、ステンレス、チタン等の金属材料で構成される。グリーンフォーク４は、自身に設けられたマグネット２５から生じる磁力によって装飾具５および板状磁性体３と引き合う。グリーンフォーク４と装飾具５とが引き合うことで、グリーンフォーク４は装飾具５上に装着される。また、グリーンフォーク４と板状磁性体３とが引き合うことで、板状磁性体３をグリーンフォーク４上に装着したり、グリーンフォーク４と板状磁性体３の間にポケット生地２１０を挟持したりする。
【００４１】
図９にグリーンフォーク４の（ａ）上面図、（ｂ）側面図を示す。図１５（ａ）に示すように、グリーンフォーク４は板状ヘッド部４１、凹部４２、４４、および脚部４３を備える。
【００４２】
板状ヘッド部４１は、グリーンフォーク４をグリーンに刺して使う場合に手で掴む箇所であり、裏面４１Ｂ、凹部４２、４４、４５、およびマグネット２５を備える。板状ヘッド部４１の表面４１Ａ側にある凹部４４に板状磁性体３が装着され、裏面４１Ｂ側でグリーンフォーク４が装飾具５に装着される。板状ヘッド部４１の平面方向の幅は略２０〜３０ｍｍであり、グリーンフォーク４を装飾具５に収納したときに、板状ヘッド部４１が装飾具５の本体５１とほぼ重なり、装飾具５が隠れ、スッキリとした外観を与える。
凹部４４は、板状磁性体３を収納したり、底面４４Ａでポケット生地２１０を板状磁性体３と挟持したりする。凹部４４の平面形状は、収納した板状磁性体３を取り出しやすいようにするため、板状磁性体３に対して０．５〜２ｍｍ大きい実質的に相似な形状の一部をなしており、収納時に板状磁性体３の一部が板状ヘッド部４１からはみ出すようになっている。また、凹部４４の平面形状の深さは、板状磁性体３を視覚上目立つようにするため、板状磁性体３の厚みよりも０．５〜１．５ｍｍ小さくして、収納時に板状磁性体３の平面が板状ヘッド部４１の表面４１Ａよりも前面に出るようにしている。
凹部４４は、板状ヘッド部４１の裏面４１Ｂ側に設けてもよい。この場合、裏面４１Ｂ側の凹部４４に板状磁性体３が装着され、表面４１Ａ側でグリーンフォーク４が装飾具５に装着されるようにすることもできる。すなわち、装飾具５にグリーンフォーク４を表側と裏側の両面から装着することができる。
【００４３】
凹部４４の底面４４Ａには、さらに凹部４５が設けられている。凹部４５は、マグネット２５を収納する。マグネット２５は凹部４５の中に接着等によって固定されている。マグネット２５は装飾具５およびグリーンフォーク４に設けられるが、グリーンフォーク４を装飾具５に装着したときに、マグネット２５同士が反発し合わないよう、吸着面側の磁極を逆にする。すなわち、装飾具５の本体５１の表面５１Ａ側のマグネット２５の磁極と、グリーンフォーク４の板状ヘッド部４１の裏面４１Ｂ側のマグネット２５の磁極は反対とする。これによって、装飾具５の本体５１の表面５１Ａ側とグリーンフォーク４の板状ヘッド部４１の裏面４１Ｂ側は磁力によって引き合い、装飾具５の本体５１の表面５１Ａ側とグリーンフォーク４の板状ヘッド部４１の表面４１Ａ側は磁力によって反発し合い、グリーンフォーク４を装飾具５に装着する場合に裏表を誤って取り付けることがなくなる。
凹部４５は凹部４４の底面４４Ａと板状ヘッド部４１の裏面４１Ｂの間を貫通してもよい。このようにすることで、凹部４５には底面がないので、マグネット２５から発した磁力が底面によって弱められず、板状ヘッド部４１の裏面４１Ｂ側に装飾具５を装着するための吸着力が弱められない。また、この場合、マグネット２５は、例えば、凹部４５に圧入等によって固定される。
マグネット２５の代わりに、板状ヘッド部４１自体を磁化したりすることによって磁力を備えることもできる。このようにすることで、凹部４５を不要とすることができる。
【００４４】
板状ヘッド部４１の裏面４１Ｂは、凹部４２を備える。
凹部４２は、板状ヘッド部４１の裏面４１Ｂの外周部に３箇所設けられ、グリーンフォーク４と装飾具５を嵌合するために用いられる。ここでいう、「凹部」には貫通孔も含まれる。凹部４２は、図９（ｂ）に示すように、板状ヘッド部４１を貫通する貫通孔であることが好ましい。凹部４２が、板状ヘッド部４１を貫通することで、砂埃が溜まるのを防ぐという効果を奏するからである。
凹部４２の位置は、装飾具５の凸部５２と対応しており、図９（ａ）に示すように、凹部４２の中心は二等辺三角形の頂点をなしている。
装飾具５の凸部５２の代わりに凹部が設けられた場合、グリーンフォーク４の凹部４２の代わりに凸部が設けられるが、グリーンフォーク４に設けられるのは凹部４２のほうが好ましい。というのも、グリーンフォーク４の使用時には板状ヘッド部４１が握られるため、板状ヘッド部４１に凸部が設けられた場合、不快感を与えることになるからである。
凹部４２の平面形状は、例えば、装飾具５の凸部５２より０．２〜１ｍｍ大きい相似形であり、嵌合に適したサイズとなっている。
【００４５】
脚部４３は、グリーンフォーク４の使用時にグリーンに刺される部位である。グリーンフォークとしての機能を満たせば、脚部４３の本数や形状は任意とすることができる。脚部４３は、グリーンに刺したときに力を加えやすくするために、板状ヘッド部４１の裏面４１Ｂ側に反った形状となっている。脚部４３の反りの方向は、図６（ｂ）に示すように装飾具５に装着したときに、ヘッドカバー１００側を向いている。この向きにすることで、脚部４３が外側に飛び出さず、引っ掛かりを防止することができる。また、脚部４３の反りの大きさは、脚部４３の先端がヘッドカバー１００に干渉しないよう、装飾具５の厚みよりも小さくすることが好ましい。
【００４６】
［使用方法］
図６のヘッドカバー１００を例に、図６および１０を参照しながらヘッドカバー保持具１１の使用方法を説明する。
【００４７】
（ヘッドカバー装着時）
プレー時は、装飾具５にグリーンフォーク４を装着し、板状磁性体３をポケット２００の中に入れておく。
プレーしない時は、図６（ａ）、（ｂ）のように、装飾具５にグリーンフォーク４を装着し、板状磁性体３をグリーンフォーク４の凹部４４上に装着する。
【００４８】
（ヘッドカバー取り外し時）
グリーンフォーク４側をポケット２００に向けてヘッドカバー１００を近づけると、ヘッドカバー１００は、グリーンフォーク４の備えるマグネット２５の磁力によって板状磁性体３に引き寄せられ、図６（ｃ）のように、グリーンフォーク４と板状磁性体３がポケット生地２１０を挟持する形で衣服上に保持される。このように、ヘッドカバー１００は、グリーンフォーク４の磁力により板状磁性体３に引き寄せられるため、各ヘッドカバー１００に装飾具５を取り付ければ、グリーンフォーク４および板状磁性体３は１つで足りる。
【００４９】
（グリーンフォーク使用時）
ヘッドカバー１００を一旦衣服上から外し、グリーンフォーク４を装飾具５から外す。その後、装飾具５側をポケット２００に向けてヘッドカバー１００を近づけると、ヘッドカバー１００は、装飾具５の備えるマグネット２５の磁力によって板状磁性体３に引き寄せられ、図１０（ａ）のように、磁力により装飾具５と板状磁性体３がポケット生地２１０を挟持する形で衣服上に保持される。
その後、ゴルファーは、ヘッドカバー１００を衣服上に保持したまま、グリーンフォーク４を使用する。
グリーンフォーク４の使用後は、ヘッドカバー１００は一旦衣服上から外し、グリーンフォーク４を装飾具５に装着し、図６（ｃ）の状態に戻す。
【００５０】
（板状磁性体使用時）
板状磁性体３をボールマーカーとして使用する場合の使用方法を説明する。
図６（ｃ）の状態から、ヘッドカバー１００を一旦衣服上から外し、グリーンフォーク４を装飾具５から外し、ポケット２００の中に入れる。また、ポケット２００から板状磁性体３を取り出す。その後、装飾具５側をポケット２００に向けてヘッドカバー１００をポケット２００に近づけると、図１０（ｂ）のように、ヘッドカバー１００は、装飾具５およびグリーンフォーク４の発する磁力により装飾具５とグリーンフォーク４が引き合い、両者がポケット生地２１０を挟持する形で衣服上に保持される。
その後、ゴルファーは、ヘッドカバー１００を衣服上に保持したまま、板状磁性体３を使用する。
板状磁性体３の使用後は、ヘッドカバー１００を一旦衣服上から外し、グリーンフォーク４をポケット２００から取り出し、装飾具５に装着し、図６（ｃ）の状態に戻す。
あるいは、ヘッドカバー１００を一旦衣服上から外し、板状磁性体３を装飾具５に装着する。その後、板状磁性体３側をポケット２００に向けてヘッドカバー１００をポケット２００に近づけると、図１０（ｃ）のように、ヘッドカバー１００は、グリーンフォーク４の発する磁力により板状磁性体３とグリーンフォーク４が引き合い、両者がポケット生地２１０を挟持する形で衣服上に保持される。
【００５１】
以上のように、本実施例のヘッドカバー保持具１１によれば、ゴルフクラブにヘッドカバー装着時は装飾具によりファッション性を高め、ヘッドカバー取り外し時はプレーの邪魔にならないように衣服上に保持することが可能となる。また、グリーンフォークを磁力で吸着させる構成であるので、ポケットの内容物を減らすことが可能となる。
【００５２】
実施例２の変形例として、板状磁性体３の一部もしくは全部をマグネットで構成すること、または、板状磁性体３の一部または全部を磁化することもできる。この場合、グリーンフォーク４の凹部４５およびマグネット２５は不要となる。また、この変形例においては、図６（ａ）、（ｂ）のように装飾具と板状磁性体の間にグリーンフォークが挟まれた状態で板状磁性体のみを取り外そうとした際に、グリーンフォークが板状磁性体に吸着し装飾具から外れやすいという問題が生じる。かかる問題を解決するためには、装飾具のマグネットの磁力を板状磁性体の磁力よりも大きくすることが好ましく、例えば、装飾具のマグネットの磁力と板状磁性体の磁力の磁力差を５００〜１０００ガウスとすることが好ましい態様として開示される。
この変形例においても、実施例２と同様の作用効果が奏される。
【００５３】
以上、本開示にていくつかの実施の形態を単に例示として詳細に説明したが、本発明の新規な教示および有利な効果から実質的に逸脱せずに、その実施の形態には多くの改変例が可能である。
【符号の説明】
【００５４】
１０    ヘッドカバー保持具
１１    ヘッドカバー保持具
２      装飾具
２１    本体
２１Ａ  表面
２３    マグネット収納部
２４    ツメ
２５    マグネット
２６    蓋
２７    かしめ部
２８    リベット
２９    支持部
２９ａ  穴
３      板状磁性体
４      グリーンフォーク
４１    板状ヘッド部
４１Ａ  表面
４１Ｂ  裏面
４２    凹部
４２Ａ  表面
４２Ｂ  裏面
４３    脚部
４４    凹部
４４Ａ  底面
４５    凹部
５      装飾具
５１    本体
５１Ａ  表面
５２    凸部
Ｄ      間隔
１００  パターカバー
１１０  表地
１１１  穴
１２０  クッション材
１３０  裏地
１４０  金具
１４１  穴
２００  ポケット
２１０  ポケット生地
【図１】
2016209183.tif 000003
【図２】
2016209183.tif 000004
【図３】
2016209183.tif 000005
【図４】
2016209183.tif 000006
【図５】
2016209183.tif 000007
【図６】
2016209183.tif 000008
【図７】
2016209183.tif 000009
【図８】
2016209183.tif 000010
【図９】
2016209183.tif 000011
【図１０】
2016209183.tif 000012